(57)【特許請求の範囲】
【請求項１】
レンズ鏡胴の内部に設けられたレンズを保持するレンズ枠が、レンズの光軸方向の位置調節後に固定されるレンズ鏡胴において、
薄板状の弾性部材で構成された連動部材と、
前記連動部材の光軸方向の一端側を前記レンズ枠に固定する第１の締結手段と、
前記連動部材の光軸方向の他端側を前記レンズ鏡胴に固定する第２の締結手段と、
を備えたことを特徴とするレンズ鏡胴。
【請求項２】
前記連動部材は、レンズ枠と一体または別体に構成されていることを特徴とする請求項１のレンズ鏡胴。
【請求項３】
前記連動部材は、光軸方向に対しては高い剛性を有し、光軸に対して半径方向に弾性変形容易な性質を有していることを特徴とする請求項１又は２に記載のレンズ鏡胴。
【請求項４】
前記レンズ鏡胴に対して前記レンズ枠をレンズの光軸方向に変位させる偏心ピンを有し、前記偏心ピンは前記連動部材に係止されて脱落を防止されていることを特徴とする請求項１から３のいずれかに記載のレンズ鏡胴。
【請求項５】
前記レンズ鏡胴は、前記連動部材を光軸方向に案内する一対の案内面を有し、
前記連動部材は、その側面が前記一対の案内面に案内され、光軸方向に移動することを特徴とする請求項１から４のいずれかに記載のレンズ鏡胴。
【請求項６】
前記第１の締結手段は、ねじと前記レンズ枠に設けたねじ穴とからなり、前記ねじは、前記連動部材の一端側に形成された取付穴を介して前記ねじ穴に締結され、前記連動部材の一端側を前記レンズ枠に固定することを特徴とする請求項１から５のいずれかに記載のレンズ鏡胴。
【請求項７】
前記第２の締結手段は、セットビスと前記レンズ鏡胴に設けたビス穴とからなり、前記セットビスは、前記連動部材の他端側に形成された光軸方向に長い長穴を介して前記ビス穴に締結され、前記連結部材の他端側を前記レンズ鏡胴に固定し、前記セットビスと前記連動部材とは面で固定されることを特徴とする請求項１から５のいずれかに記載のレンズ鏡胴。
【発明の詳細な説明】
【０００１】
【発明の属する技術分野】
本発明はレンズ鏡胴に係り、特にレンズ鏡胴の内部に設けられたレンズを保持するレンズ枠が、レンズの光軸方向の位置調節後に固定されるレンズ鏡胴に関する。
【０００２】
【従来の技術】
レンズ鏡胴組み立て後には、例えばマスターレンズを該レンズ鏡胴に対して光軸と平行な方向に微動調節して、トラッキング調節を行う。
前記トラッキング調節を行う部位の構造は、マスターレンズを保持するレンズ枠を前記レンズ鏡胴に内接するとともに、光軸方向に対して摺動可能に構成している。
【０００３】
前記マスターレンズ枠と前記レンズ鏡胴とを固定する手段は、レンズ鏡胴の側からレンズ枠を止めねじで押圧することにより固定していた。
【０００４】
【発明が解決しようとする課題】
しかしながら、従来の、レンズ鏡胴の側から止めねじによってレンズ枠を押圧してレンズを固定する構成では、押圧力によってレンズ枠が変形してしまい、レンズ枠の光学的不具合が生じたり、レンズ枠の材質によっては割れてしまうという不具合が生じていた。また、止めねじがレンズ枠を押圧することによって、レンズ枠に止めねじの押圧痕が残り、一度押圧痕が生じてしまうと次回その押圧痕の近傍に再び止めねじをセットしようとしても前回の押圧痕に止めねじが倣ってしまい、微妙な再調節が行えないという不具合があった。
【０００５】
本発明は、このような事情に鑑みてなされたもので、光軸方向に対して摺動可能に構成されたレンズ枠をレンズ鏡胴に対して係止しても、レンズ枠の変形や割れ、あるいは光学的不具合が発生しないレンズ鏡胴を提供することを目的とする。
【０００６】
【課題を解決するための手段】
前記目的を達成するために本発明によれば、レンズ鏡胴の内部に設けられたレンズを保持するレンズ枠が、レンズの光軸方向の位置調節後に固定されるレンズ鏡胴において、薄板状の弾性部材で構成された連動部材と、前記連動部材の光軸方向の一端側を前記レンズ枠に固定する第１の締結手段と、前記連動部材の光軸方向の他端側を前記レンズ鏡胴に固定する第２の締結手段と、を備えたことを特徴としている。
【０００７】
本発明によれば、レンズの光軸方向の位置調節後にレンズ枠をレンズ鏡胴に固定する際に、薄板状の弾性部材で構成された連動部材の光軸方向の一端側を第１の締結手段によりレンズ枠に固定し、前記連動部材の光軸方向の他端側を第２の締結手段によりレンズ鏡胴に固定することにより、前記連動部材を介してレンズ枠をレンズ鏡胴に固定するようにしたため、レンズ枠の固定時に連動部材が変形可能となり、これによりレンズ枠は変形せず（レンズ枠に連動部材を弾性変形させる力以上の外力が加わることがなく）、レンズ枠の変形や割れが防止され、光学的不具合が発生せず、トラッキング調節を容易に行うことができる。
【０００８】
【発明の実施の形態】
以下添付図面に従って本発明に係るレンズ鏡胴の好ましい実施の形態について詳説する。
図１は本発明に係るレンズ鏡胴が適用されたテレビカメラ用ズーム式レンズ鏡胴１０の断面図である。
【０００９】
図１に示すレンズ鏡胴１０は、光軸Ｌに対して前方からフォーカスレンズ１２、変倍レンズ１４、補正レンズ１６、リレーレンズ１７、及びマスタレンズ１８の順に配置されている。絞り２０は、図示しない調節機構により駆動されて光量の調節を行う。
前記フォーカスレンズ１２は、鏡胴１０の前端の開口部に配置されると共に、光軸Ｌに沿って前後移動自在に設けられ、図示しないヘリコイドねじ等の駆動機構によって前後移動される。これによってピント調整が行われる。
【００１０】
前記変倍レンズ１４はレンズ枠２２に支持されている。該レンズ枠２２には、レンズ枠２２を光軸Ｌに沿って摺動可能にするための棒状のスライダ２２Ａが一体に形成され、かつ複数設けられている。一方補正レンズ１６はレンズ枠２４に支持されている。該レンズ枠２４にも、レンズ枠２４を光軸Ｌに沿って摺動可能にするための棒状のスライダ２４Ｂが一体に形成され、かつ複数設けられている。
【００１１】
レンズ鏡胴１０の内面には複数の直進溝３２Ａ、３２Ｂ…が形成されており、該直進溝３２Ａ、３２Ｂ…にはそれぞれ対応するスライダ２２Ａ、２４Ｂ…が嵌入される。直進溝３２Ａ、３２Ｂ…は光軸Ｌと平行に形成されているので、レンズ１４及び１６は光軸Ｌに沿って摺動可能となる。
前記レンズ枠２２にはピン２５が一体で形成されており、該ピン２５には外接して樹脂等の摺動用の材質で形成されているブッシュ２６が挿入されている。このようにピン２５とブッシュ２６とで構成されたカムフォロワ２７は、鏡胴に形成されたスリット３１を介して外カム筒２８の変倍レンズ用カム溝３０に係合されている。また、補正レンズ１６のレンズ枠２４にも同様にカムフォロワ２７が形成されており、前記スリット３１を介して外カム筒２８の補正レンズ用カム溝３４に係合されている。前記外カム筒２８に連結されている平歯車４０と、モータ３６の出力軸３８に係入されているピニオンギヤ４２とは歯合されている。
【００１２】
図２は図１に示したレンズ鏡胴１０の「２−２断面」を示した斜視図である。図１、図２に示すように、マスタレンズ１８はレンズ枠６０に取り付けられ、適切なクリアランスをもってレンズ鏡胴１０に摺動自在に嵌合している。レンズ枠６０の後端に設けられたボス６０Ｂは、レンズ鏡胴１０の開口部１０Ｅを通ってレンズ鏡胴１０の外部へ突出している。連動部材６２は薄板状の部材から形成されるとともに、ねじ６４により取付穴６２Ｄを介してレンズ枠６０のボス６０Ｂに固定され、これによりレンズ枠６０と連動部材６２は一体的に移動する。連動部材６２の側面６２Ｂ、６２Ｃは、レンズ鏡胴１０の案内面１０Ｂ、１０Ｃに案内され、前後移動する。なお、該連動部材６２は板ばね又はプラスチックス板等で薄板状に形成されているので、光軸方向に対しては高い剛性を有し、光軸に対して半径方向に弾性変形容易な性質を有している。
【００１３】
連動部材６２の前端には長穴６２Ｅと開口部６２Ｆとが形成されており、後述するように長穴６２Ｅにはセットビス６８が挿入されてレンズ鏡胴１０と締結される。開口部６２Ｆにはレンズ鏡胴１０の孔１０Ａに挿入される偏心ピン６６が保持される。偏心ピン６６の先端にはピン６６Ａが偏心して設けられており、レンズ鏡胴１０の孔１０Ａとレンズ枠６０の孔６０Ａに嵌入した状態で偏心ピン６６を回転すると、レンズ枠６０をレンズ鏡胴１０に対し前後移動させることができる。
【００１４】
上述のズーム式レンズ鏡胴を用いてＷＩＤＥ（広角）からＴＥＬＥ（望遠）に変倍するには、モータ３６の出力軸３８を正転／逆転駆動する。すると変倍レンズ１４が前記カム溝３０の軌跡に沿って光軸Ｌ方向に前後移動し、補正レンズ１６も同様に、カム溝３４の軌跡に沿って光軸Ｌ方向に前後移動する。これによって、ＷＩＤＥ（広角）撮影及びＴＥＬＥ（望遠）撮影ができる。
【００１５】
上記に示したレンズ鏡胴１０の組み立て後の調節時に於いて、無限遠のピントを合わせるためのトラッキング調節を行う手順を以下に説明する。
組み立てが終了したレンズ鏡胴１０の受光素子面に相当する位置に調整用のターゲットスクリーンを置き、コリメータからの平行光をフォーカスレンズ１２側から光軸Ｌに沿って入射する。そして、ターゲットスクリーンに写った像が最小の点となるように偏心ピン６６を回転してマスタレンズ１８を移動する。一般にズーム式レンズのトラッキング調節は、フォーカスレンズ１２の操作とマスタレンズ１８の移動調節との双方を、ズームのＷＩＤＥ端とＴＥＬＥ端との双方で繰り返し実施して収束させる。
【００１６】
まず、ズームをＷＩＤＥ端にした状態でターゲットスクリーンに写った像が最小の点となるように偏心ピン６６を回転してマスタレンズ１８を移動する（▲１▼）。次に、ズームをＴＥＬＥ端端にした状態でターゲットスクリーンに写った像が最小の点となるようにフォーカスレンズ１２を操作する（▲２▼）。ここでフォーカスレンズ１２を操作すると▲１▼で調節したピントがずれるので、前記▲１▼と▲２▼の調節を２〜３回繰り返して実施して、ターゲットスクリーンに写った像の大きさが所定の大きさの範囲に入るようにする。
【００１７】
上記の調節によってマスタレンズ１８の位置が確定したら、セットビス６８を締めてマスタレンズ１８を保持しているレンズ枠６０をレンズ鏡胴１０に対して係止する。以上でトラッキングの調節が終了する。
上述のように前記連動部材６２は、光軸Ｌに対して半径方向に弾性変形容易な性質を有するので、トラッキング調節時にセットビス６８を用いて連動部材６２を固定しても、連動部材６２が半径方向に変形するためレンズ枠６０は変形しない。したがって、マスタレンズ１８の光軸がずれるといった光学的不具合を生じることもない。また連動部材６２は、光軸方向に対しては高い剛性を有する形状をしているので、セットビス６８を用いて連動部材６２をレンズ鏡胴１０に固定すれば、マスタレンズ１８の位置を光軸方向に対して係止することができる。
【００１８】
更に、連動部材６２は偏心ピン６６を保持する機能を有するのでレンズ鏡胴１０の構造を単純にすることができるとともに小型化を図ることができる。また、セットビス６８で連動部材６２を固定しても、レンズ枠６０には殆ど応力が加わらないので、レンズ枠６０を樹脂等による成形品で構成しても、損傷を生じることはない。
【００１９】
また、セットビス６８と連動部材６２とは面で固定されているので、固定に際して押圧痕は生じない。したがって、再調節時に於いても前回調節した近傍に容易に再設定を行うことが可能である。
上記に示した実施の形態では、連動部材６２とレンズ枠６０とを別の部品で構成した例で説明したが、本発明はこれに限定されるものではなく、連動部材６２とレンズ枠６０とを一体として形成しても本発明の目的は達成される。
【００２０】
本実施の形態では、テレビカメラに適用されるレンズ鏡胴１０のトラッキング調節の機構の例にて説明したが、写真フイルムを使用する一般のカメラに適用してもよいし、トラッキング調節のみならず、その他のレンズ枠位置調節構造に適用してもよい。
【００２１】
【発明の効果】
以上説明したように本発明に係るレンズ鏡胴によれば、レンズ枠に連動部材を取り付け、レンズ位置の調節後に連動部材をレンズ鏡胴に固定するようにしたので、レンズ枠の変形や割れが防止され、光学的不具合が発生せず、トラッキング調節が容易なレンズ鏡胴を提供することができる。
【図面の簡単な説明】
【図１】本発明に係るレンズ鏡胴が適用されたテレビカメラ用ズーム式レンズ鏡胴の実施の形態を示す断面図
【図２】図１に示したレンズ鏡胴の「２−２断面」を示した斜視図
【符号の説明】
１０…レンズ鏡胴、１８…マスタレンズ、６０…レンズ枠、６２…連動部材、６４…ねじ、６６…偏心ピン、６８…セットビス
【図１】
0004284480.tif 000002
【図２】
0004284480.tif 000003